(57)【要約】 【課題】食器洗浄機の食器の並べ方をいちいち考え悩むことなく、簡単に使用済み食器を洗浄かごに載置できる食器洗浄機の提供を目的とする。【解決手段】洗浄かごに並べた食器類に洗浄水を噴射し、前記食器類を洗浄する食器洗浄機システムにおいて、前記洗浄かごに設けられた食器受け形状に対応した専用食器を備えてなり、前記洗浄かごには、それぞれの前記専用食器の図、模様、数字又は文字が示されており、前記専用食器の配置に合わせた噴出ノズルを備えてなる食器洗浄機システム。 【選択図】  図2
2014061046.tif 000002
【特許請求の範囲】
【請求項１】
洗浄かごに並べた食器類に洗浄水を噴射し、前記食器類を洗浄する食器洗浄機システムにおいて、前記洗浄かごに設けられた食器受け形状に対応した専用食器を備えてなることを特徴とする食器洗浄機システム。
【請求項２】
前記洗浄かごには、それぞれの前記専用食器の図、模様、数字又は文字が示されていることを特徴とする請求項1に記載の食器洗浄機システム。
【請求項３】
前記洗浄かごに設けられた前記食器受け形状と前記専用食器とは一対一対応してなることを特徴とする請求項1又は請求項2に記載の食器洗浄機システム。
【請求項４】
前記専用食器は、1人分の基本セットが基本となっていることを特徴とする請求項1から請求項3のいずれか一項に記載の食器洗浄機システム。
【請求項５】
前記専用食器の配置に合わせた噴出ノズルを備えてなることを特徴とする請求項1から請求項4のいずれか一項に記載の食器洗浄機システム。
【請求項６】
洗浄かごに並べた食器類に洗浄水を噴射し、前記食器類を洗浄する食器洗浄機システムにおいて、食器洗浄機に収容可能な前記洗浄かごの収容可能個数よりも多い前記洗浄かごを備えてなることを特徴とする食器洗浄機システム。
【請求項７】
洗浄かごに並べた食器類に洗浄水を噴射し、前記食器類を洗浄する食器洗浄機システムにおいて、前記洗浄かごに設けられた食器受けは、少なくとも1つの回動可能又は伸縮可能な可動片を備えてなることを特徴とする食器洗浄機システム。
【発明の詳細な説明】
【技術分野】
【０００１】
本発明は、食器洗浄機システムに関するものであり、特に洗浄水で食器類を洗浄する食器洗浄機システムの洗浄かごと食器に関する。
【背景技術】
【０００２】
従来、食器洗浄機の利用者は、食器洗浄機の開閉扉を開け、食器洗浄機に設けられた洗浄かごに洗浄する皿やコップ、箸、スプーンなどの食器類をひとつずつ並べ、食器洗浄前に準備を行なっていた。洗浄かごには、底面に多数の水切り孔が設けられ、さらに食器の支持部となるのフック、凸部、凹部、リブや仕切り壁などが様々に設けらおり、食器が並べやすいように工夫されている。
【０００３】
しかし、従来の洗浄かごでは食器類がきれいに洗えるように、利用者自身が食器配置をいちいち考えながら配置しなければならなかった。
【０００４】
すなわち洗浄かごには食器配置の推奨位置が決められてはいるものの、利用する食器の個数、形、外径や深さが様々なため、利用者は食器洗浄機メーカーが推奨する大まかな食器配置と経験を考慮しながら、洗浄かごのスペース、食器の大きさや形状、途中まで並べた配置具合などをいちいち考え、洗い残しが生じないように食器類を洗浄かごに配置しなければならなかった。食器洗浄機の洗い残しは、洗浄かごの支持部または配置した食器による影響で洗浄水が十分に食器に届かない場合に生じてしまうことがあった。
【０００５】
そのため、食器洗浄機を購入したにもかかわらず、食器類を配置する準備の煩雑さを嫌い、食器洗浄機を活用していない、といった利用者の意見も聞かれる。
【先行技術文献】
【特許文献】
【０００６】
【特許文献１】特開２００７−２６７８９６
【発明の開示】
【発明が解決しようとする課題】
【０００７】
本発明は、上記の事情に鑑みてなされたもので、食器洗浄機の食器の並べ方をいちいち考え悩むことなく、簡単に使用済み食器を洗浄かごに載置できる食器洗浄機システムの提供を目的とする。
【課題を解決するための手段】
【０００８】
前記課題を解決するため請求項1記載の発明にあっては、洗浄かごに並べた食器類に洗浄水を噴射し、前記食器類を洗浄する食器洗浄機システムにおいて、前記洗浄かごに設けられた食器受け形状に対応した専用食器を備えてなる。
【０００９】
請求項2記載の発明にあっては、洗浄かごには、それぞれの前記専用食器の図、模様、数字又は文字が示されてなる。
【００１０】
請求項3記載の発明にあっては、洗浄かごに設けられた食器受け形状と専用食器とは一対一対応してなる。
【００１１】
請求項４記載の発明にあっては、専用食器は、1人分の基本セットが基本としてある。
【００１２】
請求項5記載の発明にあっては、専用食器の配置に合わせた噴出ノズルを備えてなる。
【００１３】
請求項６記載の発明にあっては、洗浄かごに並べた食器類に洗浄水を噴射し、食器類を洗浄する食器洗浄機システムにおいて、食器洗浄機に収容可能な洗浄かごの収容可能個数よりも多い洗浄かごを備えてなる。
【００１４】
請求項７記載の発明にあっては、洗浄かごに並べた食器類に洗浄水を噴射し、食器類を洗浄する食器洗浄機システムにおいて、洗浄かごに設けられた食器受けは、少なくとも1つの回動可能又は伸縮可能な可動片を備えてなる。
【発明の効果】
【００１５】
本発明によれば、食器洗浄機の食器の並べ方をいちいち考え悩むことなく、簡単に使用済み食器を洗浄かごに載置できる食器洗浄機システムの提供が可能となる。
【発明を実施するための最良の形態】
【００１６】
以下、本発明の一実施形態である食器洗浄機を図に従って説明する。図１は本発明で用いられる食器洗浄機の全体図を示し、図２は本発明の食器洗浄機用洗浄かごの固定部材の例である。図３は発明の食器洗浄機用洗浄かごの固定部材の別例である。
【００１７】
（第一の実施形態）
図1に示すように、本発明の食器洗浄機は主に食器洗浄機本体10、洗浄かご12、洗浄ノズル13とからなっている。そして、食器洗浄機本体の内部に洗浄する食器31を収容する洗浄かご12が前後方向に移動可能なように設けてあり、その洗浄かご12に専用食器が収容されるように構成されている。
【００１８】
食器洗浄機本体を構成する筐体10は、一方が開口する箱状で開口部14を閉鎖する開閉扉11が一方に設けられている。開閉扉11または筐体開口部14には止水パッキンが設けられており、開閉扉を閉鎖した状態で洗浄水が外部に漏れ出さないように構成されている。
【００１９】
そして、開閉扉11の内部には金属製の洗浄かご12が設けられている。本発明で用いる金属製洗浄かごは、線径2ｍｍ程度の線材が格子状に交差する形となっており、格子のピッチは2〜10ｃｍ程度で、格子の内部はそれぞれ多数の水抜き孔121となっている。
【００２０】
洗浄かご12はフラットな形体でも構わないし、図1に示すような4つの側壁のある容器状でも構わない。
【００２１】
本発明では洗浄かごに設けられた食器受け形状に対応した専用食器を備えてなる。そして、洗浄かごに設けられた食器受け形状と専用食器とは一対一対応していることが望ましい。食器受け形状と専用食器とは一対一に対応しているので、利用者は食器載置時により迷い難くなっている。また、専用食器は食器洗浄機とセットで販売されることが望ましい。加えて、専用食器は、食器受け形状に対応した形状で、食器受け形状に密に接するか数ミリ程度のクリアランスで保持される形状のものが望ましい。
【００２２】
洗浄かご12には底面又は側面より起立する固定部材122が多数設けられている。固定部材122は洗浄する食器類を保持できる形状に形作られた突起で、本発明の専用食器を密に保持できる突起である。突起は1つの専用食器に対して少なくとも2本設けられ、専用食器と突起のクリアランスは0から2ミリメートル程度に設定される。突起の形状は専用食器のそれぞれの形状（高さ、深さ、窪み、曲率）に合わせてセッティングされている。そのために本発明で用いられる専用食器は、従来の洗浄かごに設置した食器よりも洗浄かごに強く保持される。
【００２３】
また、洗浄かごにはそれぞれの専用食器の図、模様、数字又は文字が示されている。それによって利用者がスムーズに所定位置に食器を載置可能としている（図3）。
【００２４】
また専用食器は、1人分の基本セットが基準となっていることが望ましい。1人分の基本セットが基準となっているので、この基本セットを利用することで大方の食事に利用することができる。特に学生や単身者や少人数世帯においては、食器洗浄システムを食器棚兼用のシステムとして活用することも可能であり、食器棚を設けない生活シーンの提案も可能となる。専用食器によって利用者の食器選択の余地は少なくなるが、専用食器は単身者が多く利用する食器を網羅しているため、一人暮らしを始める単身者がわざわざ別個に食器を準備する必要も無いため便利である。
【００２５】
ここで、1人分の基本セットとは、日常的に食事をするシーンで多用される食器のセットであり、例えば、ご飯茶碗、汁椀、コップ、大皿、小皿、丼、湯のみ（マグカップ）、箸、麺用鉢、スプーン、フォークなどを基本セットとすることができる。
【００２６】
そして、食器洗浄機は1つまたは2つの洗浄かごを収容可能であり、洗浄かごは収容可能個数よりも多く設けられている。収容可能個数よりも多くの洗浄かごを備えることで、洗い方の自由度が大きくなる。3食分を分けて収容する観点から、3つ以上洗浄かごを備えてなるものがより望ましい。
【００２７】
加えて、複数人で用いる場合には2人目以降分を1人分の基本セットが載置できる別洗浄かごに入れて利用することも可能である。また、1食分を1つの洗浄かごに収容可能とすることで、1日3食分の食器を3つの洗浄かごに入れて利用することも可能である。
洗浄かごを入れ替えで利用することで、短時間に多くの食器を洗浄することが可能となる。
【００２８】
本発明では、専用食器の位置がいつも固定の位置となるため専用食器の配置に合わせた専用の噴出ノズル形状とすることが可能となる。今まで汚れが落ち難かったポイントに対して集中的に噴出することで従来のプロペラ式の噴出口よりも洗浄力向上が期待できる。。
【００２９】
また、食器の移動が小さいため、噴出させる水圧を強めに設定することも可能となる。それによっても洗浄力の向上が可能となる。そして、固定部材に設けられる突起は専用食器を載置したときにクリック感を生じるものが望ましい。突起を線材で形成した場合には、先端や接触部分に樹脂製又はゴム製のキャップを装着しておくことで、専用食器の破損を防止することが可能である。
【００３０】
洗浄かごに設けられた食器受けは、少なくとも1つの回動可能又は伸縮可能な可動片125を備えてなる。つまり、洗浄かごに設ける固定部材がワンタッチで食器を保持する構成とする方式も可能である。
【００３１】
例えば、第一の構成例として図2に示すように、固定部材122はベース123と支持片124からなる一体に形成された一対の可動片125からなる。ベース123と支持片124は一定角度を保ちほぼV字状に配置されている。
【００３２】
可動片はベース123と支持片124の交差部129を中心に回動可能となっている。食器が載置されていない状態では、可動片125のベース123が底より浮き上がっており、支持片も外側に位置している。食器を固定部材122に差し込んだ状態では、ベース123が底に当接し、支持片が内側に移動する。
【００３３】
食器を洗浄かごに保持する場合には、食器を固定部材122のベース上に差し込んでベースを底側に回動させる。ベース123と一体の支持片124もそれに追従して内側に移動することになる。それによって、食器は固定部材のベース123、支持片124間で保持されることになる。
【００３４】
なお、両側に可動片を設けた図の例で示したが、一方を回動片として、他方を固定片として構成することも可能である。ベース123は食器を固定部材122のベース上に差し込んだ状態で、ワンタッチに食器を保持できれば、底との間に多少のギャップがある構成でもかまわない。
【００３５】
また、第二の構成例として図3に示すように、洗浄かごに設ける固定部材122を固定片126と可動片127からなる構成とすることも可能である。固定片122は底部から鉛直方向に起立する部材で上方では可動片127から離れる方向に屈曲している。その端部には食器の種類を利用者に知らせるための掲示部が設けられており、その掲示部に載置されるべき食器の名称（例えば、小皿）や絵柄が記載されている。可動片127は食器の非保持状態で固定片に当接する起立片である。
【００３６】
そして、固定片126と可動片127は下部スペーサ128を介して螺子40で結合されている。可動片127は一端が下部スペーサに固定され、中央付近で大きく屈曲し、先端側で固定片に接するように小さく屈曲した線材からなる弾性部材である。加えて先端が自由端となっていて、固定片から離れる方向に延びている。
【００３７】
利用者が洗浄かご12に食器310を並べる場合、図3に示すように固定片126と可動片127が弾性力で接している上部空間から皿などの食器を挿入する。可動片は弾性変形が可能な部材であるから、皿の厚み分だけ可動片は外側に変位する。そして弾性力によって皿を押さえつけながら、皿を起立状態にして洗浄かごに固定することが出来る。ワンタッチで皿の整列が可能であるため利用者にとって使い勝手が格段に向上する。
【００３８】
また金属製の洗浄かごに代えて樹脂製洗浄かごやセラミック製洗浄かごを用いることも可能である。その場合でも、樹脂製かごの底面に多数の矩形、円形、楕円形の水抜き孔121を有している。孔の大きさは2ｃｍ〜10ｃｍ程度で、水がスムーズに洗浄かご12を通過でき、食器類が落ちない程度の孔であればよい。樹脂製かごでもセラミック製洗浄かごでも同様に底面又は側面より起立する固定片122が多数設けられている。
【００３９】
上記の構成を用いることで、利用者が簡単に食器を洗浄かごに並べることが可能となり利用者にとっての利便性が格段に向上した食器洗浄機システムを提供することが可能となった。
【図面の簡単な説明】
【００４０】
【図１】は本発明で用いられる食器洗浄機の全体図を示す。
【図２】は本発明の洗浄かごの固定部材の一実施例図である。
【図３】は本発明の洗浄かごの他の固定部材の実施例の図である。
【符号の説明】
【００４１】
1      食器洗浄機
10        筐体（本体）
11        開閉扉
12                           
洗浄かご
121                    
水抜き孔
122      固定部材
123      ベース
124                    
支持片
125                    
可動片
126                    
固定片
127                    
可動片
128                    
下部スペーサ
129                    
交差部  
13                           
洗浄ノズル
131                           
プロペラ
132                           
噴射孔
14        開口部                                          
31             
食器
310    専用食器
40    螺子
【図１】
2014061046.tif 000003
【図２】
2014061046.tif 000004
【図３】
2014061046.tif 000005